【手続補正書】
【提出日】平成21年11月10日(2009.11.10)
【手続補正１】
【補正対象書類名】特許請求の範囲
【補正対象項目名】全文
【補正方法】変更
【補正の内容】
【特許請求の範囲】
【請求項１】
静止画像信号と動画像信号を合成する画像処理装置であって、
前記動画像信号に係る画像の画素数の情報、及び当該動画像信号に係る画像を表示する際の表示サイズの情報を取得する動画像情報取得手段と、
前記動画像情報取得手段により取得された前記動画像信号の画素数の情報及び表示サイズの情報に基づいて、前記動画像信号に係る画像を表示する際の水平方向の表示サイズと垂直方向の表示サイズとの比率である表示アスペクト比と、前記動画像信号に係る画像の水平方向の画素数と垂直方向の画素数との比率である動画アスペクト比との比率である変形率を取得する変形率取得手段と、
前記静止画像信号に係る画像を変倍する変倍手段であって、変倍前の前記静止画像信号に係る画像の水平方向の画素数と垂直方向の画素数との比率である第１静止画アスペクト比と、変倍後の前記静止画像信号に係る画像の水平方向の画素数と垂直方向の画素数との比率である第２静止画アスペクト比との比率が前記変形率と一致するように、前記静止画像信号に係る画像を変倍する変倍手段と、
前記動画像信号を前記変倍後の静止画像信号と合成し、前記表示アスペクト比の情報と共に出力する合成手段と、
を備えることを特徴とする画像処理装置。
【請求項２】
前記変形率は、前記動画像信号に係る画像の水平方向の表示サイズを垂直方向の表示サイズで除算した値である表示アスペクト比を、前記動画像信号に係る画像の水平方向の画素数を垂直方向の画素数で除算した値である動画アスペクト比で除算した値であり、
前記変倍手段は、前記静止画像信号に係る画像の画素数に関して、水平方向の倍率を第１倍率とし、垂直方向の倍率を、前記第１倍率に前記変形率を乗じた値として、前記静止画像信号に係る画像を変倍する
ことを特徴とする請求項１に記載の画像処理装置。
【請求項３】
前記変倍手段は、前記静止画像信号に係る画像の水平方向の画素数が、前記動画像信号に係る画像の水平方向の画素数と一致するか、或いは前記静止画像信号に係る画像の垂直方向の画素数が、前記動画像信号に係る画像の垂直方向の画素数と一致するように前記静止画像信号に係る画像を変倍することを特徴とする請求項１又は２に記載の画像処理装置。
【請求項４】
前記合成手段は、キーイングにより前記合成を行うことを特徴とする請求項１乃至３のいずれか１項に記載の画像処理装置。
【請求項５】
前記合成手段は、合成した画像を記憶装置及び表示装置のうちの少なくとも一方に出力することを特徴とする請求項１乃至４のいずれか１項に記載の画像処理装置。
【請求項６】
記録媒体から再生された前記動画像信号を取得する動画像信号取得手段を更に備え、前記動画像情報取得手段は、前記記録媒体に対する前記動画像信号の記録フォーマットを示す記録フォーマット情報を用いて前記動画像信号に係る画像の画素数の情報を取得することを特徴とする請求項１に記載の画像処理装置。
【請求項７】
前記記録フォーマットの情報は、前記動画像信号のフォーマットが、
ＮＴＳＣ規格のＨＤフォーマット、
ＰＡＬ規格のＨＤフォーマット、
ＮＴＳＣ規格で表示アスペクト比が１６／９のＳＤフォーマット、
ＮＴＳＣ規格で表示アスペクト比が４／３のＳＤフォーマット、
ＰＡＬ規格で表示アスペクト比が１６／９のＳＤフォーマット、及び
ＰＡＬ規格で表示アスペクト比が４／３のＳＤフォーマット
のうちのいずれであるかを示すことを特徴とする請求項６に記載の画像処理装置。
【請求項８】
静止画像信号と動画像信号を合成する画像処理方法であって、
前記動画像信号に係る画像の画素数の情報、及び当該動画像信号に係る画像を表示する際の表示サイズの情報を取得する動画像情報取得工程と、
前記動画像情報取得工程において取得された前記動画像信号の画素数の情報及び表示サイズの情報に基づいて、前記動画像信号に係る画像を表示する際の水平方向の表示サイズと垂直方向の表示サイズとの比率である表示アスペクト比と、前記動画像信号に係る画像の水平方向の画素数と垂直方向の画素数との比率である動画アスペクト比との比率である変形率を取得する変形率取得工程と、
前記静止画像信号に係る画像を変倍する変倍工程であって、変倍前の前記静止画像信号に係る画像の水平方向の画素数と垂直方向の画素数との比率である第１静止画アスペクト比と、変倍後の前記静止画像信号に係る画像の水平方向の画素数と垂直方向の画素数との比率である第２静止画アスペクト比との比率が前記変形率と一致するように、前記静止画像信号に係る画像を変倍する変倍工程と、
前記動画像信号を前記変倍後の静止画像信号と合成し、前記表示アスペクト比の情報と共に出力する合成工程と、
を備えることを特徴とする画像処理方法。
【請求項９】
静止画像信号と動画像信号を合成するコンピュータを、
前記動画像信号に係る画像の画素数の情報、及び当該動画像信号に係る画像を表示する際の表示サイズの情報を取得する動画像情報取得手段、
前記動画像情報取得手段により取得された前記動画像信号の画素数の情報及び表示サイズの情報に基づいて、前記動画像信号に係る画像を表示する際の水平方向の表示サイズと垂直方向の表示サイズとの比率である表示アスペクト比と、前記動画像信号に係る画像の水平方向の画素数と垂直方向の画素数との比率である動画アスペクト比との比率である変形率を取得する変形率取得手段、
前記静止画像信号に係る画像を変倍する変倍手段であって、変倍前の前記静止画像信号に係る画像の水平方向の画素数と垂直方向の画素数との比率である第１静止画アスペクト比と、変倍後の前記静止画像信号に係る画像の水平方向の画素数と垂直方向の画素数との比率である第２静止画アスペクト比との比率が前記変形率と一致するように、前記静止画像信号に係る画像を変倍する変倍手段、
前記動画像信号を前記変倍後の静止画像信号と合成し、前記表示アスペクト比の情報と共に出力する合成手段、
として機能させるためのプログラム。
【請求項１０】
請求項９に記載のプログラムを記録したコンピュータ読み取り可能な記録媒体。
【手続補正２】
【補正対象書類名】明細書
【補正対象項目名】００１５
【補正方法】変更
【補正の内容】
【００１５】
上記課題を解決するために、本発明は、静止画像信号と動画像信号を合成する画像処理装置であって、前記動画像信号に係る画像の画素数の情報、及び当該動画像信号に係る画像を表示する際の表示サイズの情報を取得する動画像情報取得手段と、前記動画像情報取得手段により取得された前記動画像信号の画素数の情報及び表示サイズの情報に基づいて、前記動画像信号に係る画像を表示する際の水平方向の表示サイズと垂直方向の表示サイズとの比率である表示アスペクト比と、前記動画像信号に係る画像の水平方向の画素数と垂直方向の画素数との比率である動画アスペクト比との比率である変形率を取得する変形率取得手段と、前記静止画像信号に係る画像を変倍する変倍手段であって、変倍前の前記静止画像信号に係る画像の水平方向の画素数と垂直方向の画素数との比率である第１静止画アスペクト比と、変倍後の前記静止画像信号に係る画像の水平方向の画素数と垂直方向の画素数との比率である第２静止画アスペクト比との比率が前記変形率と一致するように、前記静止画像信号に係る画像を変倍する変倍手段と、前記動画像信号を前記変倍後の静止画像信号と合成し、前記表示アスペクト比の情報と共に出力する合成手段と、を備えることを特徴とする画像処理装置を提供する。
【手続補正３】
【補正対象書類名】明細書
【補正対象項目名】００１６
【補正方法】変更
【補正の内容】
【００１６】
また、他の本発明は、静止画像信号と動画像信号を合成する画像処理方法であって、前記動画像信号に係る画像の画素数の情報、及び当該動画像信号に係る画像を表示する際の表示サイズの情報を取得する動画像情報取得工程と、前記動画像情報取得工程において取得された前記動画像信号の画素数の情報及び表示サイズの情報に基づいて、前記動画像信号に係る画像を表示する際の水平方向の表示サイズと垂直方向の表示サイズとの比率である表示アスペクト比と、前記動画像信号に係る画像の水平方向の画素数と垂直方向の画素数との比率である動画アスペクト比との比率である変形率を取得する変形率取得工程と、前記静止画像信号に係る画像を変倍する変倍工程であって、変倍前の前記静止画像信号に係る画像の水平方向の画素数と垂直方向の画素数との比率である第１静止画アスペクト比と、変倍後の前記静止画像信号に係る画像の水平方向の画素数と垂直方向の画素数との比率である第２静止画アスペクト比との比率が前記変形率と一致するように、前記静止画像信号に係る画像を変倍する変倍工程と、前記動画像信号を前記変倍後の静止画像信号と合成し、前記表示アスペクト比の情報と共に出力する合成工程と、を備えることを特徴とする画像処理方法を提供する。